(57)【特許請求の範囲】
【請求項１】
光の反射によって表示を行う反射画像を生成する反射画像生成装置と、自らの発光によって表示を行う発光画像を生成する発光画像生成装置とに、同一画像を表現する画像データを与えてそれぞれ反射画像および発光画像を生成した場合に、これら両画像から肉眼によって知覚される表示色が同一になるように、前記反射画像生成装置に与える画像データと前記発光画像生成装置に与える画像データとの間の対応関係を決定する方法であって、
前記反射画像生成装置に所定の画像データを与えることにより、特定の単一色についての被測定用反射画像を生成し、
前面の内側領域に第１の表示面が定義され、この第１の表示面の周囲の外側領域に第２の表示面が定義され、前記第２の表示面は前記単一色よりも明度の高い無彩色をなし、前記第１の表示面は前記第２の表示面よりも明度の低い無彩色をなす表示用ボードを用意し、この表示用ボードの前記第１の表示面の中央に前記被測定用反射画像を提示できるようにし、前記表示用ボード前面に照明光を照射し、所定の観察位置から観察したときに、前記第１の表示面および前記第２の表示面が表示されるとともに、前記第１の表示面の中央に前記単一色が表示されるようにし、
前記発光画像生成装置の表示画面上に、前記表示用ボードの前記第１の表示面と同一形状、同一面積、同一輝度の無彩色の第１の枠領域を表示させ、この第１の枠領域の周囲に、前記表示用ボードの前記第２の表示面と同一形状、同一面積、同一輝度の無彩色の第２の枠領域を表示させ、かつ、前記第１の枠領域に囲われた色表示部に、与えられた画像データに基いて所定の単一色を表示させ、
前記観察位置から観察したときに、前記第１の表示面の中央に観察される単一色と前記色表示部から観察される単一色とが同一の表示色と知覚されるまで、前記発光画像生成装置に対して与える画像データを変化させ、同一の表示色と知覚されたときに前記発光画像生成装置に対して与えた画像データと、前記被測定用反射画像を生成したときに前記反射画像生成装置に与えた画像データと、が対応関係にあると決定することを特徴とする表示色の対応関係決定方法。
【請求項２】
請求項１に記載の決定方法において、
表示用ボードの表示面より外側の領域および発光画像生成装置の表示画面上の枠領域より外側の領域については、観察位置から観察したときに光が観察されないように、外光を遮る閉じた環境において観察を行うことを特徴とする表示色の対応関係決定方法。
【請求項３】
光の反射によって表示を行う反射画像を生成する反射画像生成装置と、自らの発光によって表示を行う発光画像を生成する発光画像生成装置とに、同一画像を表現する画像データを与えてそれぞれ反射画像および発光画像を生成した場合に、これら両画像から肉眼によって知覚される表示色が同一になるように、前記反射画像生成装置に与える画像データと前記発光画像生成装置に与える画像データとの間の対応関係を決定する装置であって、
前記反射画像生成装置によって生成された単一色の被測定用反射画像を表示するための開口窓を有し、前面の前記開口窓の周囲に第１の表示面が定義され、この第１の表示面の周囲に第２の表示面が定義され、前記第２の表示面は前記単一色よりも明度の高い無彩色をなし、前記第１の表示面は前記第２の表示面よりも明度の低い無彩色をなす表示用ボードと、
この表示用ボードの背面に、前記被測定用反射画像を交換自在に配置し、配置した被測定用反射画像が前記開口窓を通して表示されるようにする反射画像交換手段と、
前記表示用ボード前面に照明光を照射する照明手段と、
前記発光画像生成装置の表示画面上に、前記表示用ボードの前記第１の表示面と同一形状、同一面積、同一輝度の無彩色の第１の枠領域を表示し、この第１の枠領域の周囲に、前記表示用ボードの前記第２の表示面と同一形状、同一面積、同一輝度の無彩色の第２の枠領域を表示し、かつ、前記第１の枠領域に囲われた色表示部に、与えられた画像データに基いて所定の単一色を表示するための信号を生成する表示信号生成手段と、
前記色表示部に表示する単一色を指定する情報を外部から入力し、入力した色指定情報に応じた画像データを前記表示信号生成手段に与える色指定情報入力手段と、
所定の観察位置から観察したときに、前記開口窓によって表示された単一色と前記色表示部に表示された単一色とが同一の表示色であると知覚されたことを示す一致信号を入力する一致信号入力手段と、
前記一致信号入力手段によって一致信号が入力されたときに、前記開口窓を通して表示されている被測定用反射画像を生成するために前記反射画像生成装置に与えた画像データと、前記色指定情報入力手段が入力した色指定情報に応じた画像データと、が対応関係にあることを示す情報を記録する対応関係記録手段と、
を備えることを特徴とする表示色の対応関係決定装置。
【請求項４】
請求項３に記載の決定装置において、
発光画像生成装置の白色点が照明光の色温度と同一になるように調節する白色点調節手段を更に設けたことを特徴とする表示色の対応関係決定装置。
【請求項５】
請求項３または４に記載の決定装置において、
異なる複数の被測定用反射画像を二次元平面上に連続的に配置したサンプル板を、表示用ボードの背面にこの表示用ボードと平行になるように保持しつつ、前記サンプル板を前記表示用ボードに対して平行移動させる機能をもった可動保持部材によって反射画像交換手段を構成したことを特徴とする表示色の対応関係決定装置。
【請求項６】
請求項３〜５のいずれかに記載の決定装置において、
表示用ボードと、この表示用ボードの背面に配置された被測定用反射画像と、反射画像交換手段と、照明手段と、を同一の筐体内に収容し、前記表示用ボードの表示面の内部領域のみが、観察位置から観察されるように、前記筐体の前面に開口部を形成したことを特徴とする表示色の対応関係決定装置。
【請求項７】
請求項３〜６のいずれかに記載の決定装置において、
表示用ボードの表示面の内部領域を観察位置から観察するための第１の開口部と、発光画像生成装置の表示画面を前記観察位置から観察するための第２の開口部と、を有する遮光板を更に備え、この遮光板の前面を黒色に着色したことを特徴とする表示色の対応関係決定装置。
【請求項８】
請求項３〜７のいずれかに記載の決定装置において、
色指定情報入力手段が、色相、彩度、明度なる３つのパラメータによって単一色の指定を行うことができるように、３つのパラメータのいずれか１つを選択するスイッチ手段と、選択したパラメータ値の増加または減少を指示するための増減指示手段と、を備えることを特徴とする表示色の対応関係決定装置。
【請求項９】
請求項３〜８のいずれかに記載の決定装置において、
表示信号生成手段が、被測定用反射画像と開口窓との境界部分に生じる陰影を模した画像を、色表示部に表示するための信号を生成する機能を有することを特徴とする表示色の対応関係決定装置。
【発明の詳細な説明】
【０００１】
【産業上の利用分野】
本発明は表示色の対応関係決定方法および決定装置、特に、カラープリンタとカラーディスプレイとに、同一画像を表現する画像データを与えて、それぞれ紙面上に印刷画像およびディスプレイ画面上に表示画像を生成した場合に、両画像が同一の表示色として知覚されるように、カラープリンタに与える画像データとカラーディスプレイに与える画像データとの間の対応関係を決定する方法および装置に関する。
【０００２】
【従来の技術】
コンピュータの発達により、現在では、カラー印刷用のフィルム原版をコンピュータによる画像処理によって作成することが一般的になっている。このように、コンピュータによって作成したカラー画像を確認する方法としては、カラーディスプレイの画面上で確認する方法と、カラープリンタあるいは印刷によって出力した紙面上で確認する方法とがある。通常、オペレータは、ディスプレイを見ながらカラー画像を作成する処理を行い、適宜、このカラー画像をプリンタで出力して確認したり、実際に印刷して確認したりする作業を行うことになる。ところが、コンピュータによって作成した同一の画像データに基いて表示を行わせる場合であっても、ディスプレイとプリンタ（あるいは印刷機）とでは、画像データの形式が異なる。すなわち、ディスプレイに与える画像データは光の３原色であるＲＧＢ形式のデータを与えるのに対し、プリンタあるいは印刷機に与える画像データは色の３原色であるＣＭＹ形式のデータを与えなければならない。このため、同一の色について、ＲＧＢ形式のデータとＣＭＹ形式のデータとの対応関係を予め定めておき、ＲＧＢ形式のデータに基いてディスプレイ画面上に表示させた色と、ＣＭＹ形式のデータに基いて紙面上に表示させた色とが、同一の色として知覚されるようにする必要がある。
【０００３】
【発明が解決しようとする課題】
しかしながら、ディスプレイに与えるＲＧＢ形式のデータとプリンタや印刷機に与えるＣＭＹ形式のデータとの間で、正確な対応関係を決定することは非常に困難である。もともと、画面上に表示される画像の表示色や、紙面上に出力される画像の表示色は、ディスプレイ、プリンタ、印刷機といったハードウエアに固有の色であり、また、照明条件によっても色調が変化するため、ＲＧＢ形式のデータとＣＭＹ形式のデータとの間の普遍的な対応関係を正確に求めることは不可能である。別言すれば、同じＲＧＢ形式のデータを用いて画面表示したとしても、ディスプレイが異なれば表示色は異なることになり、同じＣＭＹ形式のデータを用いて紙面上に出力したとしても、プリンタが異なれば出力される色は異なることになる。このため、実際には、どのディスプレイとどのプリンタとを組み合わせて用いるか、という個々の具体的なケースごとに、ＲＧＢ形式のデータとＣＭＹ形式のデータとの対応関係を決定する作業が必要になる。
【０００４】
このため、従来は、実際にプリンタで出力した紙面上のカラー画像を見ながら、ディスプレイの表示色に合うようにプリンタの色を調整する作業を行っていた。しかしながら、このようなあいまいな色調整作業では、正確な色調整は非常に困難である。色調整が困難な理由は、ディスプレイ上に表示されたカラー画像と、紙面上に出力されたカラー画像とは、そもそも本質的に異なる性質をもった画像であるためである。すなわち、ＣＲＴなどを用いた一般的なカラーディスプレイは、自らの発光によって表示を行う装置であり、ディスプレイ画面上に得られる画像は発光画像となるのに対し、カラープリンタや印刷機によって紙面上に出力される画像は、光の反射によって表示を行う反射画像になるためである。このように、反射画像と発光画像とは、画像表示の原理が全く異なるため、人間の目で観察した場合にも、それぞれ異なる表示媒体として認識され、両者で正確な色合わせを行うことが困難なのである。
【０００５】
そこで本発明は、反射画像と発光画像とで、知覚される表示色が同一になるように、反射画像を作成するための画像データと発光画像を作成するための画像データとの間の対応関係を正確に決定することができる方法および装置を提供することを目的とする。
【０００６】
【課題を解決するための手段】
【０００７】
(1)   本発明の第１の特徴は、光の反射によって表示を行う反射画像を生成する反射画像生成装置と、自らの発光によって表示を行う発光画像を生成する発光画像生成装置とに、同一画像を表現する画像データを与えてそれぞれ反射画像および発光画像を生成した場合に、これら両画像から肉眼によって知覚される表示色が同一になるように、反射画像生成装置に与える画像データと発光画像生成装置に与える画像データとの間の対応関係を決定する方法において、
反射画像生成装置に所定の画像データを与えることにより、特定の単一色についての被測定用反射画像を生成し、
前面の内側領域に第１の表示面が定義され、この第１の表示面の周囲の外側領域に第２の表示面が定義され、第２の表示面は生成した単一色よりも明度の高い無彩色をなし、第１の表示面は第２の表示面よりも明度の低い無彩色をなす表示用ボードを用意し、この表示用ボードの第１の表示面の中央に被測定用反射画像を提示できるようにし、表示用ボード前面に照明光を照射し、所定の観察位置から観察したときに、第１の表示面および第２の表示面が表示されるとともに、第１の表示面の中央に被測定用反射画像の単一色が表示されるようにし、
発光画像生成装置の表示画面上に、表示用ボードの第１の表示面と同一形状、同一面積、同一輝度の無彩色の第１の枠領域を表示させ、この第１の枠領域の周囲に、表示用ボードの第２の表示面と同一形状、同一面積、同一輝度の無彩色の第２の枠領域を表示させ、かつ、第１の枠領域に囲われた色表示部に、与えられた画像データに基いて所定の単一色を表示させ、
所定の観察位置から観察したときに、第１の表示面の中央に観察される単一色と色表示部から観察される単一色とが同一の表示色と知覚されるまで、発光画像生成装置に対して与える画像データを変化させ、同一の表示色と知覚されたときに発光画像生成装置に対して与えた画像データと、被測定用反射画像を生成したときに反射画像生成装置に与えた画像データと、が対応関係にあると決定するようにしたものである。
【０００８】
(2)   本発明の第２の特徴は、上述の第１の特徴に係る表示色の対応関係決定方法において、
表示用ボードの表示面より外側の領域および発光画像生成装置の表示画面上の枠領域より外側の領域については、観察位置から観察したときに光が観察されないように、外光を遮る閉じた環境において観察を行うようにしたものである。
【００１０】
(3)   本発明の第３の特徴は、光の反射によって表示を行う反射画像を生成する反射画像生成装置と、自らの発光によって表示を行う発光画像を生成する発光画像生成装置とに、同一画像を表現する画像データを与えてそれぞれ反射画像および発光画像を生成した場合に、これら両画像から肉眼によって知覚される表示色が同一になるように、反射画像生成装置に与える画像データと発光画像生成装置に与える画像データとの間の対応関係を決定する装置において、
反射画像生成装置によって生成された単一色の被測定用反射画像を表示するための開口窓を有し、前面の開口窓の周囲に第１の表示面が定義され、この第１の表示面の周囲に第２の表示面が定義され、第２の表示面は上記単一色よりも明度の高い無彩色をなし、第１の表示面は第２の表示面よりも明度の低い無彩色をなす表示用ボードと、
この表示用ボードの背面に、被測定用反射画像を交換自在に配置し、配置した被測定用反射画像が開口窓を通して表示されるようにする反射画像交換手段と、
表示用ボード前面に照明光を照射する照明手段と、
発光画像生成装置の表示画面上に、表示用ボードの第１の表示面と同一形状、同一面積、同一輝度の無彩色の第１の枠領域を表示し、この第１の枠領域の周囲に、表示用ボードの第２の表示面と同一形状、同一面積、同一輝度の無彩色の第２の枠領域を表示し、かつ、第１の枠領域に囲われた色表示部に、与えられた画像データに基いて所定の単一色を表示するための信号を生成する表示信号生成手段と、
色表示部に表示する単一色を指定する情報を外部から入力し、入力した色指定情報に応じた画像データを表示信号生成手段に与える色指定情報入力手段と、
所定の観察位置から観察したときに、開口窓によって表示された単一色と色表示部に表示された単一色とが同一の表示色であると知覚されたことを示す一致信号を入力する一致信号入力手段と、
一致信号入力手段によって一致信号が入力されたときに、開口窓を通して表示されている被測定用反射画像を生成するために反射画像生成装置に与えた画像データと、色指定情報入力手段が入力した色指定情報に応じた画像データと、が対応関係にあることを示す情報を記録する対応関係記録手段と、
を設けたものである。
【００１１】
(4)   本発明の第４の特徴は、上述の第３の特徴に係る表示色の対応関係決定装置において、
発光画像生成装置の白色点が照明光の色温度と同一になるように調節する白色点調節手段を更に設けたものである。
【００１２】
(5)   本発明の第５の特徴は、上述の第３または第４に記載の表示色の対応関係決定装置において、
異なる複数の被測定用反射画像を二次元平面上に連続的に配置したサンプル板を、表示用ボードの背面にこの表示用ボードと平行になるように保持しつつ、このサンプル板を表示用ボードに対して平行移動させる機能をもった可動保持部材によって反射画像交換手段を構成したものである。
【００１３】
(6)   本発明の第６の特徴は、上述の第３〜第５に記載の表示色の対応関係決定装置において、
表示用ボードと、この表示用ボードの背面に配置された被測定用反射画像と、反射画像交換手段と、照明手段と、を同一の筐体内に収容し、表示用ボードの表示面の内部領域のみが、観察位置から観察されるように、筐体の前面に開口部を形成したものである。
【００１４】
(7)   本発明の第７の特徴は、上述の第３〜第６に記載の表示色の対応関係決定装置において、
表示用ボードの表示面の内部領域を観察位置から観察するための第１の開口部と、発光画像生成装置の表示画面を観察位置から観察するための第２の開口部と、を有する遮光板を更に設け、この遮光板の前面を黒色に着色したものである。
【００１５】
(8)   本発明の第８の特徴は、上述の第３〜第７に記載の表示色の対応関係決定装置において、
色指定情報入力手段が、色相、彩度、明度なる３つのパラメータによって単一色の指定を行うことができるように、３つのパラメータのいずれか１つを選択するスイッチ手段と、選択したパラメータ値の増加または減少を指示するための増減指示手段と、によって色指定情報入力手段を構成したものである。
【００１６】
(9)   本発明の第９の特徴は、上述の第３〜第８に記載の表示色の対応関係決定装置において、
表示信号生成手段が、被測定用反射画像と開口窓との境界部分に生じる陰影を模した画像を、色表示部に表示するための信号を生成するようにしたものである。
【００１７】
【作  用】
ディスプレイ画面上に表示された発光画像と紙面上に出力された反射画像とは、本質的に表示原理が異なる画像であるため、人間の目で観察した場合にも、それぞれ異なる表示媒体として違和感をもって観察される。すなわち、ごく一般的な環境において両画像を観察すると、質感の違いが認識され、同一の表示色としての認識が阻害されるのである。ところが、本願発明者は、次のような特殊な環境において両画像の対比を行うと、違和感が払拭されて同じ質感として認識されることを見出だした。すなわち、単一色からなる反射画像と発光画像とを同一形状および同一面積で並べて同時に提示し、かつ、これらの画像の周囲に、上記単一色よりも明度の高い無彩色の縁取りを施すのである。もちろん、反射画像に対しては反射画像による縁取りを行い、発光画像に対しては発光画像による縁取りを行う。具体的には、一方においては、プリンタなどで紙面上に出力した何らかの単一色についての被測定用反射画像を、白色の表示用ボードの中央に提示し、他方においては、ディスプレイの画面上に、何らかの単一色を白色で縁取りして提示するのである。このような特殊な環境では、一方が反射画像、他方が発光画像であるにも拘らず、人間の目には同じ質感で認識され、表示媒体の相違による違和感が払拭されることが確認できた。
【００１８】
このような現象は、次のような理由によるものであろうと本願発明者は考えている。まず、ディスプレイ画面上の発光画像と紙面上の反射画像とが、人間の目によって異なる質感の画像として知覚されるのは、前者が自ら光っている画像として認識されるのに対して、後者はそのような認識がなされないためと考えられる。すなわち、ディスプレイ画面上の画像と紙面上の画像とを通常の環境で対比した場合、前者は光っている、別言すれば、周囲の環境よりも明るいと認識されるのである。そこで、本発明では、比較対象となる単一色の発光画像および単一色の反射画像について、この単一色よりも明度の高い縁取りを施して提示することにした。このような縁取りを付加することにより、比較対象となる単一色の部分よりも明るい領域が同じ視野の中に入るようになり、単一色の発光画像の部分が光っていると認識されにくくなる。しかも、この縁取りの部分を無彩色とすることにより、単一色の部分の色の認識が容易になる。人間の目による色の認識は、周囲の色によって大きく影響すると考えられるため、縁取りを無彩色にしておけば、縁取りによって外乱が生じることがない。また、人間の目による色の認識は、形状や大きさによっても影響すると考えられるので、比較対象となる単一色の部分は、その縁取りを含めて、全く同じ形状、全く同じ面積をもった領域となるようにしてある。
【００１９】
また、縁取りの部分を内側領域と外側領域との２重にし、外側領域については、中央の単一色よりも明度の高い無彩色をなし、内側領域については、外側領域よりも明度の低い無彩色をなすようにすれば、発光画像と反射画像との間の質感の違いを更に解消し、単一色の部分の色の認識を更に容易にする効果が得られることも確認できた。このため、たとえば白い縁取りの中に更に灰色の縁取りを置き、この灰色の縁取りの中に、比較対象となる単一色を置くようにして、発光画像と反射画像とを比較すれば、両者の質感を全く感じさせない状態で比較を行うことが可能になる。なお、発光画像と反射画像との対比は、それぞれの縁取りより外側の領域からの光が観察されないように、外光を遮る閉じた環境において観察を行うのが好ましい。また、ディスプレイの白色点を、反射画像用の照明光の色温度と同一になるように調節を行えば、白色あるいは灰色の縁取りの部分が、発光画像と反射画像とで同じ表示色として認識されるようになる。
【００２０】
このような特殊な環境下によれば、発光画像と反射画像とを同じ条件で対比できるようになるので、所定の観察位置から両画像を観察しながら、ディスプレイに与える画像データを種々変化させてゆき、両画像が同一の表示色として知覚される状態を作り出せばよい。このように、両画像が同一の表示色として知覚されているのであれば、反射画像を出力したときに用いた画像データと、現在、発光画像を表示するために用いられている画像データと、が対応関係にあるものと決定することができる。具体的には、特定のＣＭＹ値と特定のＲＧＢ値とが対応関係にあるものと決定できる。このような対応関係を、多数の単一色について求めれば、ＣＭＹ形式の画像データとＲＧＢ形式の画像データとの間で相互変換を行うことが可能になり、しかもＣＭＹ形式の画像データに基いて出力した紙面上の反射画像と、ＲＧＢ形式の画像データに基いて表示したディスプレイ画面上の発光画像と、が同一の表示色として知覚されることになる。
【００２１】
本発明は、上述した原理に基く表示色の対応関係決定方法を実施するために適した特別な装置をも提供するものである。この装置では、反射画像用の縁取りとして、開口窓をもった表示用ボードが用意され、比較対象となる単一色の被測定用反射画像は、この開口窓を通して提示される。また、被測定用反射画像は、交換自在に配置されるため、多数の単一色についての対比処理を容易に行うことが可能になる。発光画像を生成するためにディスプレイに与える画像データは、オペレータから入力された色指定情報に基いて生成される。また、対比の結果、両者の一致が知覚された場合には、オペレータからの指示が一致信号として入力される。なお、反射画像に対しては、所定の照明を施す必要があるが、この照明光の色温度と、ディスプレイの白色点とが同一になるように、ディスプレイの色調整を行っておくと、照明光が完全な白色光でなくても、両者の縁取りの色合いを揃えるのが簡単になる。
【００２２】
更に、異なる複数の被測定用反射画像を二次元平面上に連続的に配置したサンプル板を用いると、このサンプル板を表示用ボードの背面で移動させることにより、多数の単一色についての対比処理を連続的に行うことが可能になる。また、照明装置を含めて、反射画像提示用の構成要素を同一の筐体内に収容した構成とすれば、不要な光を遮った閉じた観察環境を容易に提供することができ、特に、反射画像を提示するための開口部と発光画像を提示するための開口部をもった前面黒色の遮光板を用いるようにすると効果的である。なお、オペレータから入力する色指定情報を、色相、彩度、明度なる３つのパラメータによって構成し、３つのパラメータのいずれか１つを選択するスイッチ手段と、選択したパラメータ値の増加または減少を指示するための増減指示手段と、を設けておけば、オペレータによる色指定操作が非常に能率的になる。また、開口窓を通して反射画像を観察すると周囲に陰影が生じるが、ディスプレイ上にもこの陰影を模した表示を行うようにすれば、両者を対比する上で同等の奥行き感を与えることができ、違和感を低減できる。
【００２３】
【実施例】
以下、本発明を図示する実施例に基いて説明する。
【００２４】
§１．  本発明に係る表示色の対応関係決定方法の適用対象
はじめに、本発明の適用対象となるシステムの一例を図１に示す。この例では、画像処理装置１によって作成された画像は、プリンタ２によって出力されるか、あるいはディスプレイ３によって表示される。すなわち、プリンタ２によって紙面上に印刷画像４として出力することも可能であるし、ディスプレイ３によって画面上に表示画像５として表示することも可能である。画像処理装置１は、具体的には、コンピュータに画像処理用のアプリケーションソフトウエアを組み込んだ装置であり、デジタル画像を作成する機能を有する。通常は、スキャナ装置など、外部からの画像を取り込む装置や、作成した画像データを格納する記憶装置などを含んでいる。オペレータは、ディスプレイ３を見ながらカラー画像を作成する処理を行い、適宜、このカラー画像をプリンタ２で出力して確認することができる。
【００２５】
既に述べたように、プリンタ２によって紙面上に出力された印刷画像４と、ディスプレイ３によって画面上に表示された表示画像５とは、画像処理装置１において作成された同一の画像データに基いて提示されたとしても、本質的に異なる性質をもった画像になる。すなわち、ディスプレイ３によって画面上に表示された表示画像５は、自らの発光によって表示を行う発光画像であり、プリンタ２によって紙面上に出力された印刷画像４は、光の反射によって表示を行う反射画像である。本発明は、このような発光画像と反射画像という異なる表示媒体上に表示された画像について、同一の表示色としての知覚を得るための画像データの対応関係を決定するための技術に関するものである。したがって、以下の説明では、プリンタ２をより一般的な反射画像生成装置２として取り扱い、印刷画像４をより一般的な反射画像４として取り扱うことにし、同様に、ディスプレイ３をより一般的な発光画像生成装置３として取り扱い、表示画像５をより一般的な発光画像５として取り扱うことにする。要するに、反射画像生成装置２としては、反射画像４を生成することのできる装置であればどのような装置でもよく（たとえば、印刷機）、発光画像生成装置３としては、発光画像５を生成することのできる装置であればどのような装置でもよい。
【００２６】
さて、画像処理装置１で生成された所定の画像データに基いて、反射画像４あるいは発光画像５を生成する場合、それぞれ独自の形式の画像データが必要になる。具体的には、反射画像生成装置２によって反射画像４を生成させるためには、ＣＭＹ形式の画像データ（以下、ＣＭＹデータと呼ぶ）を用い、発光画像生成装置３によって発光画像５を生成させるためには、ＲＧＢ形式の画像データ（以下、ＲＧＢデータと呼ぶ）を用いるのが一般的である。したがって、画像処理装置１内において、ＲＧＢデータとして画像生成した場合に、この画像を反射画像生成装置２によって反射画像４として出力するには、このＲＧＢデータをＣＭＹデータに変換する必要がある。逆に、画像処理装置１内において、ＣＭＹデータとして画像データを生成した場合に、この画像を発光画像生成装置３によって発光画像５として出力するには、このＣＭＹデータをＲＧＢデータに変換する必要がある。
【００２７】
本発明に係る表示色の対応関係決定方法によって、ＣＭＹデータとＲＧＢデータとの対応関係を決定するのは、このようなデータ変換を行うための変換規則を得るためである。ＣＭＹデータ／ＲＧＢデータを相互に変換するための一般的な変換規則は、種々知られているが、実際には、個々の反射画像生成装置２および発光画像生成装置３には、それぞれ固有の特性があるため、正確な変換規則は、個々の装置の組み合わせごとに決定しなければならない。本発明に係る方法を用いれば、任意の反射画像生成装置２と任意の発光画像生成装置３とが与えられたときに、これらの組み合わせについて、正確な変換規則を得ることが可能になる。
【００２８】
§２．  本発明に係る表示色の対応関係決定方法の基本原理
本発明の基本原理は、反射画像と発光画像とを、同一の質感をもって知覚できる状態で対比させるために、単一色からなる反射画像と発光画像とを同一形状および同一面積で並べて同時に提示し、かつ、これらの画像の周囲に、上記単一色よりも明度の高い無彩色の縁取りを施すという点にある。このような対比を具体的に行うための手法としては、たとえば、図２に示すようなモデルを考えればよい。図２の左側には表示用ボード１０が示されており、右側には表示画面２０が示されている。表示用ボード１０の中央には、開口窓１１があけられており、この開口窓１１の周囲の前面部分が表示面１２を形成している。また、この表示用ボード１０の背面には、被測定用反射画像６が貼り付けられている。
【００２９】
ここで、被測定用反射画像６は、反射画像生成装置２によって出力された反射画像４であり、しかも模様などが描かれていない、全面にわたって均一な単一色からなる反射画像である。いわば、プリンタなどから紙面上に出力したある特定の色についての色見本というべきものである。ここでは、反射画像生成装置２に対して、所定のＣＭＹデータ（Ｃｋ，Ｍｋ，Ｙｋ）を与えることにより、被測定用反射画像６が出力されたものとしよう。この被測定用反射画像６は、表示用ボード１０の背面に貼り付けられ、開口窓１１を通して提示されることになる。表示面１２は、この被測定用反射画像６についての縁取りともいうべき部分であるが、重要な点は、表示面１２が被測定用反射画像６に表されている単一色よりも明度の高い無彩色をなしている点である。後述するように、被測定用反射画像６は種々の単一色のものを貼り替えることになるので、表示面１２は、被測定用反射画像６として用いる予定になっているいずれの単一色よりも明度の高い無彩色にしておく必要がある。したがって、具体的には、表示用ボード１０としては、中央部に開口窓１１を切り抜いた白色の厚紙などで構成すればよい。このような表示用ボード１０に対して所定の照明光を照射すれば、単一色をもった被測定用反射画像６が、無彩色の表示面１２を縁取りとして提示されることになり、この縁取りを含めたすべての面が反射画像として提示されることになる。
【００３０】
一方、図２の右側に示された表示画面２０は、ディスプレイなどの発光画像生成装置３の表示画面上に表示された発光画像であり、図２の左側に示された縁取り付きの被測定用反射画像６をそのまま模した画像である。すなわち、表示画面２０の中央部には、開口窓１１と同一形状、同一面積の色表示部２１が形成され、その周囲の縁取りとして、表示面１２と同一形状、同一面積の枠領域２２が形成されている。しかも、枠領域２２は、表示面１２と同一輝度の無彩色で表示されている。もっとも、「表示面１２と同一輝度の無彩色」という表示色は、表示用ボード１０用の照明光に依存するものであり、ある固有の照明光を固有の条件で照射するという条件においてのみ決定されるものである。ここで、照明光としては、できる限り無彩色の光、すなわち白色光を用いるのが好ましいが、現実的には、完全な白色光源を得ることは困難である。したがって、表示面１２が完全に無彩色であったとしても、これを照明光のもとで観察すると、厳密には、完全な無彩色としては観察されないことになる。そこで、表示画面２０の白色点が、照明光の色温度と同一になるように、発光画像生成装置３（ディスプレイ）のホワイトバランスを調節しておくことが好ましい。このような調節を行っておけば、発光画像生成装置３に無彩色の表示を行う旨の信号を与えることにより、枠領域２２を表示面１２と同じ色で表示することが簡単に行える。一般的なカラーディスプレイには、このような白色点の調節機構が備わっているので、照明光の色温度を測定して、このような白色点の調節を行うことは簡単な作業で行うことができる。なお、色表示部２１の内部には、とりあえず、被測定用反射画像６上に表示されている単一色に近い近似色を表示しておくようにする。
【００３１】
さて、この図２に示すように、表示用ボード１０と表示画面２０とを、やや距離をおいて並べて置き、これを所定距離離れた観察位置から観察する。すると、同一形状、同一面積、同一輝度の白っぽい縁取りの中に、同一形状、同一面積の単一色が提示された状態で観察されることになる。しかも、表示用ボード１０側は全面が反射画像であり、表示画面２０側は全面が発光画像であるにも拘らず、表示媒体の相違に基く質感の相違は知覚されない。特に、開口窓１１を通して観察される被測定用反射画像６と、色表示部２１とは、ほぼ同じ質感で知覚される。これは、この比較対象となる中央部分よりも、その縁取り部分の明度を高く設定したため、いずれも中央部分が光っているようには知覚されないためである。すなわち、実際には、色表示部２１は発光しているにも拘らず、被測定用反射画像６と同様の質感として知覚されるのである。また、比較対象となる中央部分は、いずれも無彩色の縁取りをもって表示されているため、両者が同一の表示色として知覚されるか否かの判断を、かなり微妙な精度で行うことができる。なお、ここでいう表示色の同一とは、色相だけでなく、彩度および明度までを含めた同一性を意味しており、このような条件では、かなり細かな彩度や明度の相違まで、肉眼で認識することが可能である。
【００３２】
前述したように、色表示部２１の内部には、とりあえず、被測定用反射画像６上に表示されている単一色に近い近似色が表示されている。そこで、発光画像生成装置３に与えるＲＧＢデータを種々変えることにより、この色表示部２１の内部の表示色のみを変化させてみる。このような作業を、被測定用反射画像６と色表示部２１とが全く同じ表示色に見えるようになるまで続けるのである。ここでは、発光画像生成装置３に対して、所定のＲＧＢデータ（Ｒｋ，Ｇｋ，Ｂｋ）を与えたときに、被測定用反射画像６に表示された単一色と色表示部２１に表示された単一色とが、全く同一の表示色であると知覚されたものとしよう。この場合、反射画像生成装置２に対して所定のＣＭＹデータ（Ｃｋ，Ｍｋ，Ｙｋ）を与えることによって得られた被測定用反射画像６の表示色と、発光画像生成装置３に対して所定のＲＧＢデータ（Ｒｋ，Ｇｋ，Ｂｋ）を与えたときに、色表示部２１に表示された表示色とが、知覚的に同一と判断されたことになる。そこで、ＣＭＹデータ（Ｃｋ，Ｍｋ，Ｙｋ）と、ＲＧＢデータ（Ｒｋ，Ｇｋ，Ｂｋ）と、が対応関係にあると決定することができる。
【００３３】
以上の作業は、ある特定のＣＭＹデータ（Ｃｋ，Ｍｋ，Ｙｋ）に対応するＲＧＢデータを決定するための作業であるが、同様の作業を、多数のＣＭＹデータについて繰り返し実行すれば、それぞれについて対応するＲＧＢデータを決定することができる。たとえば、Ｃ，Ｍ，Ｙの各値をそれぞれ８ビット、すなわち０〜２５５までの２５６階調で表現する場合であれば、２５６３とおりのＣＭＹデータが存在することになるので、このすべてのＣＭＹデータについて、上述の作業を行って対応するＲＧＢデータを決定し、この対応関係をテーブルにしておけば、どのようなＣＭＹデータであっても、これをＲＧＢデータに変換することが可能になる。もっとも、２５６３とおりものＣＭＹデータのそれぞれについて、上述の作業を繰り返し実行するのは現実的ではないので、実際には、いくつかの代表的なＣＭＹデータについて、対応するＲＧＢデータを決定しておき、それ以外のＣＭＹデータについては、補間法を用いて対応するＲＧＢデータを決定するようにするのが好ましい。後述する実施例では、Ｃ，Ｍ，Ｙのそれぞれを０〜１００％の網点密度値で表し、０，２５，５０，７５，１００％の５段階の網点密度値を代表値として定め、この代表値の組み合わせによって得られる１２５とおりのＣＭＹデータのそれぞれについて、上述の作業を繰り返し実行し、それぞれ対応するＲＧＢデータを決定し、それ以外のＣＭＹデータについては、補間法を用いて対応するＲＧＢデータを決定している。
【００３４】
§３．  本発明に係る表示色の対応関係決定方法の具体的な実施例
上述した§２では、図２を参照しながら、本発明に係る表示色の対応関係決定方法の基本原理を説明した。本発明は、この基本原理に係る方法を更に改良し、より正確な対応関係の決定を可能にしたものである。ここでは、図３を参照しながら、本発明の好ましい実施例を説明する。図３に示す表示用ボード１５は、図２に示した表示用ボード１０と同一形状、同一面積のボードであるが、表示面を内側領域と外側領域とに分けたものである。すなわち、内側領域には第１の表示面１６が定義され、この第１の表示面１６の周囲の外側領域に第２の表示面１７が定義されている。なお、中央に開口窓１１を形成し、この開口窓１１を通して、背面に貼り付けた被測定用反射画像６が観察できるようにした点は、図２のモデルと同様である。
【００３５】
ここで、第２の表示面１７は被測定用反射画像６の単一色よりも明度の高い無彩色をなし、第１の表示面１６は第２の表示面１７よりも明度の低い無彩色をなしている。よりわかりやすく説明すれば、第１の表示面１６は灰色、第２の表示面１７は白色をなしていることになる。第１の表示面１６と被測定用反射画像６の単一色との間の明度の関係は不問であり、いずれが明るくてもかまわない。第２の表示面１７の明度を被測定用反射画像６の単一色よりも高く設定するのは、開口窓１１の内部が光って見えないようにするためである。また、明度の異なる２種類の無彩色部（第１の表示面１６および第２の表示面１７）によって、二重の縁取りを行うようにしたのは、開口窓１１内に表示される単一色の色の知覚をより容易にするためである。本願発明者の行った実験によれば、表示色の同一性を知覚する上では、図２に示すモデルよりも、図３に示すモデルの方が、より容易であることが判明した。その理由についての理論的な考察は、いまの段階ではなされていないが、人間の目が対象物の色を認識するときには、その対象物の周囲の影響を多分に受け、図２に示すモデルのように、周囲が明度の高い表示面１２であるよりも、いくらか明度の低い第１の表示面１６である方が、色の認識が容易になるためではないかと、本願発明者は考えている。
【００３６】
もちろん、表示用ボード１５の縁取りを二重にしたら、表示画面２５も同様に二重の縁取りにする。すなわち、図３に示されているように、表示画面２５においては、色表示部２１の周囲に第１の枠領域２６と第２の枠領域２７とを設けることになる。ここで、第１の枠領域２６は、第１の表示面１６と同一形状、同一面積、同一輝度の無彩色の表示領域であり、第２の枠領域２７は、第２の表示面１７と同一形状、同一面積、同一輝度の無彩色の表示領域となる。
【００３７】
なお、図２のモデルあるいは図３のモデルのいずれの場合であっても、表示用ボード１０，１５の表示面より外側の領域および表示画面２０，２５の枠領域より外側の領域については、観察位置から観察したときに光が観察されないように、外光を遮る閉じた環境において観察を行うことが好ましい。たとえば、図４に示すような遮光板３０を設け、この遮光板３０の左側に第１の開口部３１を形成して表示用ボード１５の表示面内を提示できるようにし、右側に第２の開口部３２を形成して表示画面２５の枠領域内を提示できるようにすればよい。遮光板３０の前面は、黒色に塗装しておくのが好ましい。また、観察作業は、外光が入り込まない密室にて行い、観察作業を行うオペレータの目には、表示用ボード１５の表示面内および表示画面２５の枠領域内のみが観察されるようにするのが好ましい。
【００３８】
§４．  本発明に係る表示色の対応関係決定装置の基本構成
以上、本発明に係る表示色の対応関係決定方法の基本原理および具体的な実施例を説明したが、以下、この方法の実施に適した一実施例に係る装置の基本構成を図５のブロック図に基いて説明する。この図５のブロック図において、画像処理装置１、反射画像生成装置２、発光画像生成装置３は、図１に示すシステムにおける各構成要素である。この実施例の装置は、表示用ボード１０、反射画像交換手段４０、白色点調節手段５０、照明手段５５、表示信号生成手段６０、色指定情報入力手段６５、対応関係記録手段７０、一致入力手段７５によって構成されている。表示用ボード１０は、図２に示すモデルで示したものと同一のものであり、中央に開口窓１１を有する。表示用ボード１０の背面には、被測定用反射画像６が配置される。この被測定用反射画像６は、反射画像生成装置２に対して所定のＣＭＹデータを与えることにより、紙面上に出力されたいわば色見本である。図２のモデルにおける説明では、被測定用反射画像６は、表示用ボード１０の背面に貼り付けられているが、この実施例の装置では、被測定用反射画像６は反射画像交換手段４０によって、交換自在に表示用ボード１０の背面に配置されている。この反射画像交換手段４０の具体的な構成例については後述する。なお、図５は、§２で述べた基本原理の方法に対応した装置となっているため、表示用ボード１０を用いた例が示されているが、§３で述べた本発明の方法に対応した装置では、表示ボード１０の代わりに、図３に示す表示ボード１５を用いることになる。
【００３９】
白色点調節手段５０は、発光画像生成装置３についての白色点を調節する手段である。表示用ボード１０に対しては、照明手段５５によって照明光が照射されるが、前述したように、この照明光の色温度と同一になるように、発光画像生成装置３の白色点が調節される。一般的なカラーディスプレイには、このような白色点調節手段５０は内蔵されているので、照明手段５５の色温度を測定することができれば、このような調節は容易に行うことができる。
【００４０】
表示信号生成手段６０は、発光画像生成装置３に表示画面２０を表示させるための表示信号を生成する手段であり、色指定情報入力手段６５は、オペレータから与えられた色指定情報を入力し、これを表示信号生成手段６０に与えるための手段である。§２で述べた基本原理の方法では、表示画面２０は、色表示部２１と枠領域２２とによって構成されている。ここで、枠領域２２には、表示用ボード１０の表示面１２と同一輝度の無彩色表示が行われるので、常に同じ表示がなされることになる。これに対して、色表示部２１には、オペレータが入力した色指定情報に基いて、所定の色表示が行われることになる。表示信号生成手段６０は、色指定情報入力手段６５から与えられた色指定情報に基いて、色表示部２１に所定の色表示を行うためのＲＧＢデータを生成することになる。この表示信号生成手段６０は、実際には、コンピュータおよびフレームメモリによって構成されることになる。§３で述べた本発明の方法に対応した装置では、表示ボード１０の代わりに、図３に示す表示ボード１５を用いることになるため、表示信号生成手段６０は、図３に示す表示画面２５を表示するための信号生成を行うことになる。
【００４１】
対応関係記録手段７０は、所定のＣＭＹデータとＲＧＢデータとが対応関係にあることを記録する手段である。すなわち、一致入力手段７５から一致信号が与えられた時点において、開口窓１１を通して観察されている特定の単一色をもった被測定用反射画像６を生成するために反射画像生成装置２に与えたＣＭＹデータ（Ｃｋ，Ｍｋ，Ｙｋ）と、色表示部２１に表示されている特定の単一色を生成するために発光画像生成装置３に与えたＲＧＢデータ（Ｒｋ，Ｒｋ，Ｒｋ）とが対応関係にある旨を記録する機能を有する。この対応関係記録手段７０は、実際には、コンピュータおよびこのコンピュータに接続された記憶装置によって構成される。一致入力手段７５は、開口窓１１を通して観察されている特定の単一色と、色表示部２１に表示されている特定の単一色とが、同一の表示色であると知覚されたときに、オペレータがその旨を示す操作入力を行う入力装置である。
【００４２】
続いて、この装置の動作を説明する。まず、反射画像生成装置２に対して、特定のＣＭＹデータ（Ｃｋ，Ｍｋ，Ｙｋ）を与え、特定の単一色をもった被測定用反射画像６を紙面上に出力する。こうして出力された被測定用反射画像６は、いわば特定の単一色についての色見本である。次に、この被測定用反射画像６を、反射画像交換手段４０によって、表示用ボード１０（１５）の背面に交換自在に配置し、照明手段５５による照明を行うことにより、開口窓１１を通してこの単一色が観察できるようにする。一方、表示信号生成手段６０によって所定の表示信号を生成し、この表示信号に基いて、発光画像生成装置３に所定の表示画面２０（２５）を表示させる。既に述べたように、この表示画面２０（２５）のうち、枠領域２２（２６，２７）には、常に表示面１２（１６，１７）と同一輝度の無彩色表示がなされるが、色表示部２１には、色指定情報入力手段６５から与えられる色指定情報に基く色表示がなされる。ただし、初期段階においては、色指定情報の入力がオペレータによって行われていないので、色表示部２１には、予め設定した所定の色（たとえば、上述した特定のＣＭＹデータ（Ｃｋ，Ｍｋ，Ｙｋ）を、一般的な変換式に基いてＲＧＢデータに変換して得られる近似色）が表示されるようにしておけばよい。
【００４３】
オペレータは、所定の観察位置Ｐから、開口窓１１内に表示された単一色と、色表示部２１内に表示された単一色とを観察し、両者が同一の表示色として知覚されるか否かを判断する。ここで、「同一の表示色」とは、色相、彩度、明度がいずれも同一と知覚される色であることを示す。そして、同一の表示色として知覚されない場合は、色指定情報入力手段６５に対して、所定の色指定情報を入力し、色表示部２１内に表示されている色を変更する指示を与える。この実施例では、色指定情報として、色相、彩度、明度の３つのパラメータについて、増減を指示する情報を用いている。たとえば、色表示部２１内に表示されている色を、より赤っぽい色に、あるいはより緑っぽい色に変更したい場合には色相を増減する指示を入力すればよいし、より澄んだ色に、あるいはよりくすんだ色に変更したい場合には彩度を増減する指示を入力すればよいし、より明るい色に、あるいはより暗い色に変更したい場合には明度を増減する指示を入力すればよい。こうして、開口窓１１内に表示された単一色と、色表示部２１内に表示された単一色とが同一の表示色として知覚されると判断した場合には、オペレータは、一致入力手段７５に対して、一致を示す入力を行う。これにより、一致入力手段７５から対応関係記録手段７０に対して一致信号が与えられ、対応関係記録手段７０は、その時点において色表示部２１内に表示されている色を生成するために発光画像生成装置３に与えられている特定のＲＧＢデータ（Ｒｋ，Ｇｋ，Ｂｋ）を、特定のＣＭＹデータ（Ｃｋ，Ｍｋ，Ｙｋ）に対応するデータとして記録することになる。
【００４４】
以上の作業により、特定のＣＭＹデータ（Ｃｋ，Ｍｋ，Ｙｋ）に対する特定のＲＧＢデータ（Ｒｋ，Ｇｋ，Ｂｋ）が決定されたことになる。同様の作業を、他の多数のＣＭＹデータについても繰り返し行えば、各ＣＭＹデータについて、対応するＲＧＢデータを決定することができる。こうして決定したＣＭＹデータ／ＲＧＢデータの対応関係を、対応関係記録手段７０においてテーブルとして記録しておけば、画像処理装置１は、このテーブルを利用して、ＣＭＹデータ／ＲＧＢデータ相互の変換を自由に行うことができるようになる。したがって、作成した同一の画像データを、一方ではＣＭＹデータとして反射画像生成装置２に与えて反射画像を得て、他方ではＲＧＢデータとして反射画像生成装置２に与えて発光画像を得た場合であっても、両画像は同じ表示色の画像として知覚され、媒体の相違に基く色ずれを解消することができる。
【００４５】
もっとも、使用される可能性のあるすべてのＣＭＹデータについて上述の作業を行って、それぞれ対応するＲＧＢデータを決定することは現実的ではない。そこで、実際には、代表的なＣＭＹデータについてのみ対応するＲＧＢデータを決定し、これをテーブルとして記録し、他のＣＭＹデータについては、このテーブルを用いた補間法によって対応するＲＧＢデータを決定するのが好ましい。たとえば、この実施例では、ＣＭＹデータを構成する各色成分を、それぞれ０％，２５％，５０％，７５％，１００％の５段階の網点密度値で表し、この５段階の網点密度とＣ，Ｍ，Ｙの３原色との組み合わせによって得られる合計１２５とおりの代表色についてのみ、上述の作業を行って、それぞれ対応するＲＧＢデータを決定し、それ以外の色については、代表色についての対応関係を利用した補間法によって、対応するＲＧＢデータを決定するようにしている。
【００４６】
§５．  本発明に係る表示色の対応関係決定装置の具体的実施例
続いて、本発明に係る表示色の対応関係決定装置のより具体的な実施例を説明する。図６は、このような具体的な実施例の全体構成図である。この装置の主たる構成要素は、筐体１００（およびそこに収容されている構成要素）と、ディスプレイ２００と、遮光板３００と、コンピュータ４００と、フレームメモリ４１０と、キーボード４２０と、マウス４３０と、である。筐体１００およびディスプレイ２００は、遮光板３００の背面に配置されている。ディスプレイ２００は、白色点調節機能を備えたカラーディスプレイであり、図５に示す白色点調節手段５０と発光画像生成装置３とに相当するものである。遮光板３００には、第１の開口部３１０および第２の開口部３２０が形成されており、第１の開口部３１０からは、後述するように、筐体１００内部に収容された表示用ボード１４０が観察され、第２の開口部３２０からは、ディスプレイ２００の表示画面２５が観察される。フレームメモリ４１０は、ディスプレイ２００に表示する画像データを記憶するメモリである。コンピュータ４００は、汎用のワークステーションに所定のアプリケーションソフトウエアを組み込んだものであり、フレームメモリ４１０に対して所定の画像データを与えるとともに、筐体１００の内部に対して所定の制御信号を与える。すなわち、図５に示すブロック図における表示信号生成手段６０および対応関係記録手段７０の機能を果たすものである。また、キーボード４２０およびマウス４３０は、このコンピュータ４００に接続された入力機器であり、それぞれ図５に示すブロック図における一致入力手段７５および色指定情報入力手段６５の機能を果たすものである。この実施例では、マウス４３０は、３つのボタン４３１，４３２，４３３を有している。
【００４７】
図７は、図６に示す装置から遮光板３００を除去した状態を示す斜視図である。筐体１００の内部には、照明ランプ１１０、サンプル板１２０、可動保持部材１３０が収容されている。サンプル板１２０には、２５枚の被測定用反射画像１２１が５行５列の配列をなして、平面上に連続的に配置されている。ここで、被測定用反射画像１２１は、図５のブロック図における被測定用反射画像６に相当するいわば色見本である。可動保持部材１３０は、サンプル板１２０を交換自在に保持するとともに、図の矢印ＸおよびＹの方向に平行移動させる機能を有する。このサンプル板１２０の前面には、図７には図示されていないが、表示用ボード１４０が配置される。図８に示すように、表示用ボード１４０は、白色ボード１４１と中間ボード１４２とによって構成されている。白色ボード１４１には、中間ボード１４２の輪郭よりもやや小さな開口窓１４３が形成されており、白色ボード１４１の背面に中間ボード１４２が貼り付けられている。また、中間ボード１４２には、被測定用反射画像１２１の輪郭よりもやや小さな開口窓１４４が形成されている。したがって、サンプル板１２０を表示用ボード１４０に対して適当に位置合わせすると、開口窓１４４を通して、任意の１枚の被測定用反射画像１２１のみが表示されるようになる。白色ボード１４１は、白色の厚紙によって構成されており、中間ボード１４２は、前面が灰色の厚紙によって構成されている。したがって、この表示用ボード１４０を前面から観察すると、図３の表示用ボード１５と同様に、開口窓１４４の周囲に二重の縁取りをもったボードになる。当然、ディスプレイ２００には、図７に示すように、図３の表示画面２５と同様の画像表示がなされることになる。
【００４８】
なお、この実施例では、所定の観察位置Ｐから観察したときに、図３における開口窓１１（および色表示部２１）が、視野角１．５°の一辺をもった正方形、第１の表示面１６（および第１の枠領域２６）が、視野角５．７°の一辺をもった正方形、第２の表示面１７（および第２の枠領域２７）が、視野角１０°の一辺をもった正方形となるように寸法設定している。別言すれば、図６において、第１の開口部３１０および第２の開口部３２０は、いずれも視野角１０°の一辺をもった正方形となっている。また、両開口部３１０，３２０の間隔は視野角６０°に設定した。
【００４９】
このような形態の表示用ボード１４０が、図７に示すサンプル板１２０の前面に固定され、その前面は照明ランプ１１０によって照明される。この実施例では、照明ランプ１１０として、色温度５０００Ｋの蛍光灯を用いており、できるだけ照明のむらができないように設置位置に配慮を施してある。前述したように、サンプル板１２０は、可動保持部材１３０によって、図の矢印ＸおよびＹの方向に移動させることができるので、結局、サンプル板１２０は表示用ボード１４０に平行な状態を保ったまま平行移動することができる。可動保持部材１３０によるこの平行移動操作は、コンピュータ４００によって制御される。したがって、コンピュータ４００は、サンプル板１２０上の２５枚の被測定用反射画像１２１のうちの所望の１枚を、表示用ボード１４０の開口窓１４４に表示させるような選択を行うことができる。
【００５０】
なお、この実施例では、全部で５枚のサンプル板１２０が用意されており、可動保持部材１３０に対しては、いずれか１枚が交換自在に取り付けられる。各サンプル板１２０には、２５枚の被測定用反射画像１２１（すなわち、色見本）が貼り付けられているので、５枚のサンプル板１２０では合計１２５枚の色見本が貼り付けられることになる。前述したように、この１２５枚の色見本は、ＣＭＹデータを構成する各色成分を、それぞれ０％，２５％，５０％，７５％，１００％の５段階の網点密度値で表し、この５段階の網点密度とＣ，Ｍ，Ｙの３原色との組み合わせによって得られる合計１２５とおりの代表色についての色見本である。したがって、予めこのような情報をコンピュータ４００に与えておき、かつ、５枚のサンプル板１２０のうちのどれを可動保持部材１３０に取り付けているかを示す情報をコンピュータ４００に与えるようにすれば、コンピュータ４００は、現在、表示用ボード１４０の開口窓１４４を通して表示されている被測定用反射画像１２１（色見本）が、どのようなＣＭＹデータに基いて生成されたものであるかを認識することができる。
【００５１】
図６に示すように、筐体１００とディスプレイ２００の前面には、遮光板３００が蓋として配置される。したがって、照明ランプ１１０の反射光は第１の開口部３１０を通してのみ前面に漏れ出ることができ、ディスプレイ２００の表示光は第２の開口部３２０を通してのみ前面に漏れ出ることができる。このため、所定の観察位置に対しては、図４に示すように、観察に必要な画像のみが提示され、不要な光は一切漏れ出てこない。なお、遮光板３００の前面は黒色に塗装しておくのが好ましい。
【００５２】
この装置では、マウス４３０が色指定情報入力手段６５として用いられ、キーボード４２０が一致入力手段７５として用いられる。すなわち、マウス４３０の３つのボタン４３１，４３２，４３３は、それぞれ色相，彩度，明度の各パラメータに対応づけられ、マウス４３０の前後移動は、パラメータの増減に対応づけられる。オペレータは、変更対象となるパラメータに対応するマウスボタンを押しながら、マウス４３０を前後に動かすことにより、パラメータの増減指示を行うことが可能になる。たとえば、表示画面２５の色表示部２１に表示されている色について、明度を高めるような色指定情報を入力するのであれば、ボタン４３３を押しながら、マウス４３０をたとえば前方へ移動させればよい。移動量を増減量に対応づけておけば、増減量を自由に指定することができる。
【００５３】
既に述べたように、本発明の装置は、外光を遮蔽した閉じた環境で使用するのが好ましいため、上述のような１つのマウス４３０の操作によって、３つのパラメータの増減指示を行うことができることは、操作性の上で大きなメリットが得られる。すなわち、オペレータはかなり暗い環境における操作を強いられるため、上述のように、マウス４３０のみによってすべての色指定情報を入力できるような構成にしておけば、オペレータは手探りの感覚だけで入力作業を行うことができ便利である。
【００５４】
オペレータの一致入力は、キーボード４２０に対して行われる。具体的には、たとえば、キーボード４２０のスペースキーを押すことで、一致入力が行われ、コンピュータ４００に対して一致信号が与えられることになる。コンピュータ４００は、このような一致信号を受け取ると、その時点でのＣＭＹデータとＲＧＢデータとの対応関係を記録するとともに、可動保持部材１３０に対して、サンプル板１２０を移動させる制御信号を与える。こうして、次の対比対象となる色見本（被測定用反射画像１２１）が、開口窓１４４内に表示されるようになり、次の色見本についての作業を自動的に継続して行うことができる。
【００５５】
§６．  その他の実施例
以上、本発明をいくつかの実施例に基いて説明したが、本発明はこれらの実施例に限定されるものではなく、この他にも種々の態様で実施可能である。以下にいくつかの別な実施例を簡単に述べておく。
【００５６】
図８に示す実施例では、表示用ボード１４０は、白色ボード１４１および中間ボード１４２を貼り合わせることにより構成されている。これらは厚みをもったボードであり、その断面は図９に示すようになる。ここで、照明ランプ１１０によって照明を行うことを考えると、所定の観察位置Ｐから観察した場合に、ボードの厚みに基いて陰影が観察されることがある。このような陰影が観察されると、被測定用反射画像側に奥行き感が生じ、ディスプレイ側の色表示部と対比した場合に、色合わせ上の違和感が生じてしまう。そこで、このような違和感を減じるために、たとえば、図１０に示すように、ディスプレイ２００の表示画面２５上においても、所定の陰影画像データに基づいて、このような陰影を模した表示を行うようにするとよい。図示の例では、色表示部２１および第１の枠領域２６の右端および下端に、それぞれ陰影２８を表示している。このように、ディスプレイ２００の表示画面２５において陰影２８の表示を行えば、ディスプレイ表示画面においても疑似的に奥行き感を生じさせることができ、陰影の影響を排除した対比が可能になる。
【００５７】
上述の実施例において、観察位置Ｐについては特に言及していないが、できれば、オペレータの頭部を固定できるような器具を設置しておくのが好ましい。
【００５８】
§７．  測色値との関係
上述の実施例では、ＣＭＹデータとＲＧＢデータとの対応関係を記録するようにしているが、測色値を介在させた対応関係を記録してもよい。ＣＭＹデータやＲＧＢデータで表現された色は、用いるプリンタや印刷機、あるいはディスプレイの色特性によって左右されるいわば相対的な色である。これに対して、測色値（ＸＹＺ）は、人間の目がもっているいわば３種類の光センサによる検出値（３刺激値）として色を表現したものである。
【００５９】
これまで、この測色値は普遍的な色の絶対的な基準を示すものであり、同じ測色値を有する色は、人間の目には同一の色として知覚されるものである、と考えられてきたが、本願発明者は、このような測色値で表された色も、人間の知覚の上では、必ずしも普遍的な色にはならないと考えている。すなわち、プリンタや印刷機を用いて紙面上に出力した色と、ディスプレイ画面上に表示された色とは、たとえ同じ測色値をもっていたとしても、人間の目には必ずしも同一の色として知覚されないことが実験により確認できた。これは、ディスプレイ上に表示されたカラー画像が発光画像であるのに対し、プリンタや印刷機によって紙面上に出力される画像は、反射画像であるためと考えられる。反射画像と発光画像とは、画像表示の原理が全く異なるため、人間の目で観察した場合、たとえ両者が同じ測色値をもった色であっても、異なる色として知覚されるのである。
【００６０】
そこで、本願発明者は、反射画像上での測色値（ＸＹＺ）と発光画像上での測色値（Ｘ´Ｙ´Ｚ´）とを区別して取り扱うことにした。すなわち、紙面上の特定色の色見本に対して測色装置を用いて測定した測色値（ＸＹＺ）と、ディスプレイ画面上の特定色の色見本に対して測色装置を用いて測定した測色値（Ｘ´Ｙ´Ｚ´）とが、たとえ同じ値であったとしても、人間の目には、同一の色としては知覚されないのである。逆に、人間の目には、同一の色として知覚された紙面上の色見本とディスプレイ画面上の色見本とは、それぞれ測色値が異なるのである。
【００６１】
測色値は、人間の目に固有の３刺激値に基いた色表現であるが、測色装置を用いて客観的な測定が可能である。たとえば、あるＣＭＹデータに基いて、カラープリンタから色見本を出力させたとすれば、この色見本についての測色値（ＸＹＺ）を測定することが可能である。同様に、あるＲＧＢデータに基いて、カラーディスプレイ上に色見本を表示させたとすれば、この色見本についての測色値（Ｘ´Ｙ´Ｚ´）を測定することが可能である。したがって、上述の実施例によって求めたＣＭＹデータとＲＧＢデータとの対応関係に基いて、反射画像上での測色値（ＸＹＺ）と発光画像上での測色値（Ｘ´Ｙ´Ｚ´）との対応関係を得ることが可能になる。このような対応関係は、反射画像と発光画像との一般的な対応関係として、広く利用することができる。
【００６２】
【発明の効果】
以上のとおり、本発明に係る表示色の対応関係決定方法および決定装置によれば、反射画像と発光画像とを、より明度の高い無彩色からなる外側枠とこの外側枠の内側に設けられ外側枠より明度の低い無彩色からなる内側枠とを有する縁取りを付加して対比観察するようにしたため、両画像を生成するための画像データの対応関係を正確に決定することができるようになる。
【図面の簡単な説明】
【図１】本発明の適用対象となるシステムの一例を示すブロック図である。
【図２】  本発明の基本原理に係る表示色の対応関係決定方法の態様を示す図である。
【図３】  本発明に係る表示色の対応関係決定方法の態様を示す図である。
【図４】図３に示す方法に、更に遮光板を用いた態様を示す図である。
【図５】本発明の一実施例に係る表示色の対応関係決定装置の基本構成を示すブロック図である。
【図６】本発明のより具体的な実施例に係る表示色の対応関係決定装置の全体構成を示す図である。
【図７】図６に示す装置の一部の構成の詳細を示す斜視図である。
【図８】図６に示す装置の表示用ボード１４０の構成の詳細を示す斜視図である。
【図９】図８に示す表示用ボード１４０の側断面図である。
【図１０】図６に示す装置における表示画面２５の別な実施例を示す正面図である。
【符号の説明】
１…画像処理装置
２…反射画像生成装置（プリンタ）
３…発光画像生成装置（ディスプレイ）
４…反射画像（印刷画像）
５…発光画像（ディスプレイ画面上の表示画像）
６…被測定用反射画像（色見本）
１０…表示用ボード
１１…開口窓
１２…表示面
１５…表示用ボード
１６…第１の表示面
１７…第２の表示面
２０…表示画面
２１…色表示部
２２…枠領域
２６…第１の枠領域
２７…第２の枠領域
２８…陰影
３０…遮光板
３１…第１の開口部
３２…第２の開口部
４０…反射画像交換手段
５０…白色点調節手段
５５…照明手段
６０…表示信号生成手段
６５…色指定情報入力手段
７０…対応関係記録手段
７５…一致入力手段
１００…筐体
１１０…照明ランプ
１２０…サンプル板
１２１…被測定用反射画像（色見本）
１３０…可動保持部材
１４０…表示用ボード
１４１…白色ボード
１４２…中間ボード
１４３…開口窓
１４４…開口窓
２００…ディスプレイ
３００…遮光板
３１０…第１の開口部
３２０…第２の開口部
４００…コンピュータ
４１０…フレームメモリ
４２０…キーボード
４３０…マウス
４３１，４３２，４３３…マウスボタン
【図１】
0003652395.tif 000002
【図２】
0003652395.tif 000003
【図３】
0003652395.tif 000004
【図４】
0003652395.tif 000005
【図５】
0003652395.tif 000006
【図６】
0003652395.tif 000007
【図７】
0003652395.tif 000008
【図８】
0003652395.tif 000009
【図９】
0003652395.tif 000010
【図１０】
0003652395.tif 000011